(57)【要約】【課題】回線交換フォールバック（ＣＳＦＢ）ソリューションを改良して、ＧＳＭにおける回線交換（ＣＳ）音声を、ＬＴＥにおけるパケット交換（ＰＳ）セッションと多重化する。【解決手段】無線端末（３０）は、ＬＴＥ（Long Term Evolution）無線アクセス技術ネットワーク（２２−１）及び回線交換ネットワーク（２２−２）により無線インタフェースを介して通信を行う。無線端末（３０）は、回線交換ネットワーク（２２−２）による回線交換呼を確立し、回線交換呼の確立中にＬＴＥ無線アクセス技術ネットワーク（２２−１）によるパケット交換セッションを維持し、パケット交換セッションの伝送を回線交換呼の伝送と多重化する。【選択図】図８
2013514705.tif 000002
【特許請求の範囲】
【請求項１】
回線交換呼の確立時にＬＴＥ無線アクセス技術ネットワークによるパケット交換セッションを維持すると共に前記パケット交換セッションの伝送を前記回線交換呼の伝送と多重化するように構成されていることを特徴とする無線端末（３０）。
【請求項２】
前記無線端末が前記回線交換呼の少なくとも一部の間に前記パケット交換セッションを維持するように構成されている、請求項１に記載の無線端末。
【請求項３】
前記回線交換呼を確立すると共に前記回線交換呼の前記伝送を制御するように構成された回線交換呼コントローラ（４２）と、
前記回線交換呼の前記確立時に前記パケット交換セッションの前記伝送を含む前記パケット交換セッションを確立してこれを維持するように構成されたパケット交換セッションコントローラ（４４）と、
前記回線交換呼の前記伝送及び前記パケット交換セッションの前記伝送を含む無線インタフェースを介した伝送を実行するように構成された通信インタフェース（４０）と、
を含む、請求項１に記載の無線端末。
【請求項４】
前記パケット交換セッションコントローラ（４４）が、前記回線交換呼の前記確立時に、
前記ＬＴＥネットワークのノードから、前記回線交換呼に対応するための回線交換ネットワークに移るための指示を受信し、
ルーティングエリア更新及び組み合わせルーティングエリア／ロケーションエリア更新を実行せず、
前記ＬＴＥネットワークにおいてパケット交換ベアラを再確立する、
ように構成されている、請求項３に記載の無線端末。
【請求項５】
前記パケット交換呼コントローラが、前記回線交換呼の前記確立時に、
前記ＬＴＥネットワークのノードから、前記回線交換呼に対応するための回線交換ネットワークに移るための指示を受信し、
ロケーションエリア（ＬＡ）更新を実行するが、ルーティングエリア更新又は組み合わせルーティングエリア／ロケーションエリア更新を実行しない、
ように構成されている、請求項３に記載の無線端末。
【請求項６】
ＬＴＥ無線アクセス技術ネットワーク及び回線交換ネットワークによる通信を行うように構成された無線端末（３０）を動作させる方法であって、
前記回線交換ネットワークによる回線交換呼を確立することを含み、
前記方法が、
前記回線交換呼の確立時にＬＴＥ無線アクセス技術ネットワークによるパケット交換セッションを維持すること、及び、前記回線交換呼の前記確立時に、
前記パケット交換セッションの伝送及び前記回線交換呼の伝送を多重化することを特徴とする、方法。
【請求項７】
前記回線交換呼の少なくとも一部の間に前記パケット交換セッションを維持することを更に含む、請求項６に記載の方法。
【請求項８】
前記回線交換呼の前記確立時に、前記無線端末が、
ルーティングエリア更新及び組み合わせルーティングエリア／ロケーションエリア更新を実行せず、
前記ＬＴＥネットワークにおいてパケット交換ベアラを再確立する、
ことを更に含む、請求項６に記載の方法。
【請求項９】
前記無線端末が、
前記回線交換呼の前記確立時に回線交換ネットワークのためのパケット交換ベアラを一時停止することと、
前記回線交換呼の終了後に前記パケット交換ベアラを再開することと、
を実行しない、請求項８に記載の方法。
【請求項１０】
前記回線交換呼の前記確立時に、前記無線端末が、
前記ＬＴＥネットワークのノードから、前記回線交換呼に対応するための回線交換ネットワークに移るための指示を受信し、
ロケーションエリア（ＬＡ）更新を実行するが、ルーティングエリア更新又は組み合わせルーティングエリア／ロケーションエリア更新を実行しない、
請求項６に記載の方法。
【請求項１１】
無線端末（３０）を伴う回線交換呼の確立時に前記無線端末によりパケット交換セッションを維持するように構成されていることを特徴とする、ＬＴＥネットワークの基地局ノード（２８）。
【請求項１２】
前記ノードが、前記パケット交換セッションのパケット交換ベアラを解放することなく、前記回線交換呼に対応するための回線交換ネットワークに移るように前記無線端末に指示するように構成されたコントローラを含む、請求項１１に記載の装置。
【請求項１３】
ＬＴＥネットワークの基地局ノード（２８）を動作させる方法であって、
無線端末（３０）によりパケット交換セッションに関与することを含み、
前記方法が、
前記無線端末を伴う回線交換呼の確立時に前記無線端末によりパケット交換セッションを維持することを特徴とする、方法。
【請求項１４】
前記パケット交換セッションのパケット交換ベアラを解放することなく回線交換ネットワークに移るように前記無線端末に指示することによって、更に、前記パケット交換セッションの解放を要求しないことによって、前記パケット交換セッションを維持することを更に含む、請求項１３に記載の方法。
【請求項１５】
回線交換ネットワーク及びＬＴＥ無線アクセス技術ネットワークを含む通信システムを動作させる方法であって、
無線端末と前記ＬＴＥネットワークとの間でパケット交換セッションを確立することとを含み、
前記方法が、
前記パケット交換セッションの間に、前記無線端末と前記回線交換ネットワークとの間で回線交換呼を確立することと、
前記回線交換呼の確立時に、前記ＬＴＥ無線アクセス技術ネットワークによる前記パケット交換セッションを維持することと、
前記パケット交換セッションの伝送と前記回線交換呼の伝送を多重化することと、
を特徴とする、方法。
【請求項１６】
前記回線交換呼の少なくとも一部の間に前記パケット交換セッションを維持することを更に含む、請求項１５に記載の方法。
【請求項１７】
前記回線交換呼の前記確立時に、
前記ＬＴＥネットワークのノードが、前記回線交換呼に対応するための回線交換ネットワークに移るように前記無線端末に指示し、
前記無線端末が、ルーティングエリア更新及び組み合わせルーティングエリア／ロケーションエリア更新を実行せず、
前記無線端末が、前記ＬＴＥネットワークにおいてパケット交換ベアラを再確立する、
ことを更に含む、請求項１５に記載の方法。
【請求項１８】
前記無線端末が、ロケーションエリア（ＬＡ）更新を実行するが、ルーティングエリア更新又は組み合わせルーティングエリア／ロケーションエリア更新を実行しないことを更に含む、請求項１５に記載の方法。
【発明の詳細な説明】
【技術分野】
【０００１】
本発明は、以下の米国仮特許出願に関する。それらは全てその全体が引用により本願にも含まれるものとする。
【０００２】
２００９年１２月１７日に出願されたMagnus Olsson等の「GSM and LTE Multiplexing Systems」と題する米国仮特許出願６１／２８７，５７５号。
【０００３】
２００９年１２月１７日に出願されたMagnus Olsson等の「Measurement Report Relay in Access Division Multiplexing Systems」と題する米国仮特許出願６１／２８７，６２３号。
【０００４】
２００９年１２月１７日に出願されたMagnus Olsson等の「WCDMA and LTE Multiplexing」と題する米国仮特許出願６１／２８７，４３８号。
【０００５】
２００９年１２月１７日に出願されたMagnus Olsson等の「Telecommunications Multiplexing」と題する米国仮特許出願６１／２８７，６２７号。
【０００６】
２００９年１２月１７日に出願されたMagnus Olsson等の「Access Division Multiplexing - Call Setup Performance Improvement」と題する米国仮特許出願６１／２８７，６３０号。
【０００７】
２００９年１２月１７日に出願されたMagnus Olsson等の「Scheduled Optimized for GSM and LTD Multiplexing」と題する米国仮特許出願６１／２８７，９５４号。
【０００８】
本出願は、以下の米国特許出願に関する。それらは全てその全体が引用により本願にも含まれるものとする。
【０００９】
Magnus Olsson等の「GSM and LTE Multiplexing」と題する米国特許出願１２／９４３，８０１号。
【００１０】
Magnus Olsson等の「Link Report Relay in Access Division Multiplexing Systems」と題する米国特許出願１２／９４３，７７０号。
【００１１】
Magnus Olsson等の「Keeping Packet Switched Session in LTE While Circuit Switched Registered in WCDMA」と題する米国特許出願１２／９４３，６１２号。
【００１２】
Magnus Olsson等の「Call Setup For Access Division Multiplexing」と題する米国特許出願１２／９４３，７３６号。
【００１３】
Magnus Olsson等の「Scheduling For Access Division Multiplexing」と題する米国特許出願１２／９４３，５０４号。
【００１４】
Magnus Olsson等の「Maintaining Packet Switched Session in LTE When Establishing GSM Circuit Switched Call」と題する米国特許出願１２／９４３，６８５号。
【００１５】
本技術は無線通信ネットワークに関し、具体的には、アクセス分割多重化（ＡＤＭ：access division multiplexing）に関する。
【背景技術】
【００１６】
典型的なセル式無線システムにおいては、無線端末（移動局及び／又はユーザ機器ユニット（ＵＥ）としても知られる）は、無線アクセスネットワーク（ＲＡＮ）を介して１つ以上のコアネットワークに対する通信を行う。無線アクセスネットワーク（ＲＡＮ）は、複数のセルエリアに分割された地理的エリアをカバーし、各セルエリアは、例えば無線基地局（ＲＢＳ）等の基地局によって対応される。基地局は、いくつかのネットワークでは、例えば「ノードＢ」（ＵＭＴＳ）又は「ｅノードＢ」（ＬＴＥ）と呼ばれる場合もある。セルは、基地局位置における無線基地局機器によって無線有効範囲が提供される地理的エリアである。各セルはローカル無線エリア内のアイデンティティによって識別され、これはセル内で同報通信される。基地局は、基地局の範囲内のユーザ機器ユニット（ＵＥ）と、無線周波数で動作するエアインタフェースを介して通信を行う。
【００１７】
無線アクセスネットワークのいくつかのバージョンにおいて、いくつかの基地局は典型的に、（例えば地上線又はマイクロ波によって）コントローラノード（無線ネットワークコントローラ（ＲＮＣ）又は基地局コントローラ（ＢＳＣ））に接続されている。コントローラノードは、これに接続された複数の基地局の様々な動作を監督し調整する。無線ネットワークコントローラは典型的に１つ以上のコアネットワークに接続されている。
【００１８】
ＵＭＴＳ（Universal Mobile Telecommunications System）は、第３世代の移動体通信システムであり、第２世代（２Ｇ）のＧＳＭ（Global System for Mobile Communications）から発展したものである。ＵＴＲＡＮは本質的に、ユーザ機器ユニット（ＵＥ）のための広帯域符号分割多重アクセスを用いた無線アクセスネットワークである。３ＧＰＰ（Third Generation Partnership Project）として知られるフォーラムでは、電気通信供給業者が、特に第３世代ネットワーク及びＵＴＲＡＮのための規格について発議して同意に至り、データレート及び無線容量の向上について調べている。３ＧＰＰ内で、Ｅ−ＵＴＲＡＮ（Evolved Universal Terrestrial Radio Access Network）の仕様が進行中である。Ｅ−ＵＴＲＡＮは、ＬＴＥ（Long term Evolution）及びＳＡＥ（System Architecture Evolution）を含む。ＬＴＥは３ＧＰＰ無線アクセス技術の変形であり、無線基地局ノードは、無線ネットワークコントローラ（ＲＮＣ）ノードでなくコアネットワークに（サービングゲートウェイすなわちＳＧＷ（Serving Gateway）を介して）接続される。一般的にＬＴＥでは、無線ネットワークコントローラ（ＲＮＣ）ノードの機能は、無線基地局ノード（ＬＴＥにおけるｅノードＢ）及びＳＧＷの間に分散している。このため、ＬＴＥシステムの無線アクセスネットワーク（ＲＡＮ）は、無線基地局ノードを含む本質的に「フラットな」アーキテクチャを有し、無線ネットワークコントローラ（ＲＮＣ）ノードに報告を行わない。
【００１９】
セル式回線交換（ＣＳ：Circuit-Switched）電話通信は、第１世代の移動ネットワークにおいて導入された。以来、ＣＳ電話通信は世界的に最大のサービスとなり、約４００億の加入数を得ている。今日でも、移動体運営者の収入の大部分はＣＳ電話通信サービス（ショートメッセージサービス（ＳＭＳ）を含む）からのものであり、２Ｇ  ＧＳＭネットワークは今なお加入数において世界を支配している。３Ｇの加入数は増えているが、その増加の理由は、一部ではハンドヘルド移動端末を有するユーザが２Ｇから３Ｇに乗り換えているためであるが、それよりも、ラップトップにおいてドングル又は埋め込みチップセットを介してモバイルブロードバンドが実施されたことが大きい。
【００２０】
３ＧＰＰ内のＬＴＥプロジェクトは、３Ｇ規格を改良して、とりわけ、エンドユーザに対してより良いモバイルブロードバンド（スループットの向上、往復時間の短縮化等）を提供することを目指している。
【００２１】
電気通信業界における一般的な見方は、将来のネットワークが全ＩＰネットワークであろうというものである。この仮定に基づき、ＬＴＥ研究においてＣＳドメインは削除された。この結果、以下の４つのことのうち１つが実行されない限り、３ＧＰＰリリース８に準拠するＬＴＥ端末によって電話通信サービスを用いることはできない。
【００２２】
（１）回線交換（ＣＳ）フォールバック（ＣＳＦＢ）を実施して、電話通信サービスを用いる場合にＬＴＥ端末が２Ｇ  ＧＳＭまで後退する（fall back）ようにする。
【００２３】
（２）３ＧＰＰ  ＩＰマルチメディアサブシステム（ＩＭＳ）／マルチメディアテレフォニー（ＭＭＴｅｌ）を実施する。これは、公衆交換電話網（ＰＳＴＮ：Public Switched Telephone Network）／公衆陸上移動網（ＰＬＭＮ：Public Land Mobile Network）と相互作用するＩＰ及びＩＭＳを介して提供される模擬ＣＳ電話通信サービスである。
【００２４】
（３）ＬＴＥを介してＵＭＡ（Unlicensed Mobile Access）／ＧＡＮ（Generic Access Network）によるトンネリングソリューションを実施して、ＣＳサービスをＩＰトンネルにカプセル化する。
【００２５】
（４）ＰＳＴＮ／ＰＬＭＮ相互作用を用いた独自のＶｏＩＰ（Voice over IP）ソリューションを実施する。
【発明の概要】
【発明が解決しようとする課題】
【００２６】
これら４つの可能性の全てに欠点がある。ＤＴＭ（Dual Transfer Mode）機能を有しない展開型ＧＳＭネットワークにおいては、ＣＳ及びパケット交換（ＰＳ）サービスを並行して用いることはできない。従って、回線交換フォールバック（ＣＳＦＢ）を用いる端末との呼の前に実行している全てのＰＳサービスは、保留されるか又は終了される。ＧＳＭネットワークがＤＴＭを有する場合は、ＰＳ性能が大きく低下する（１０Ｍｂｐｓ台から、１０から１００ｋｂｐｓ台へ）。ＣＳフォールバック手法に伴う１つの欠点は、発呼している又は発呼されている場合、端末がＬＴＥからＧＳＭ及びＣＳサービスに後退することである。また、回線交換フォールバック（ＣＳＦＢ）では、呼のセットアップ時間が長くなる。
【００２７】
ＩＭＳ／ＭＭＴｅｌ手法は、ＩＭＳベースの全く新しいコア／サービスレイヤを用いる。これによって、サービスを向上させる新たな可能性が生まれるが、運営者が克服すべき資金的な問題という欠点がある。新しいコアネットワークは資本支出（ＣＡＰＥＸ）を必要とし、そのコアネットワークの一体化は初期運営費（ＯＰＥＸ）を上昇させる。更に、ＩＭＳ／ＭＭＴｅｌ手法は、２Ｇ／３Ｇ電話通信サービスとの音声ハンドオーバを処理するために、端末及びレガシーＣＳネットワークにおいて実施された特徴を必要とする。
【００２８】
ＬＴＥを介してＵＭＡ／ＧＡＮを用いることは標準化されたソリューションではないので、端末の可用性が問題となり得る独自のソリューションであるという欠点がある。また、例えばネットワークにおけるＧＡＮコントローラ及びＵＥ端末におけるＧＡＮプロトコルのように、ネットワーク及び端末の双方においてコア／サービスレイヤに追加の機能が加わる。
【００２９】
独自のＶｏＩＰ手法は、運営者が制御する場合、独自のものであることに伴う欠点と共に、ＩＭＳ／ＭＭＴｅｌ（新しいコア／サービスレイヤ）手法の場合と同じ欠点があり、２Ｇ／３Ｇ  ＣＳに対するハンドオーバはサポートされない場合がある。
【００３０】
３ＧＰＰリリース８に準拠したＬＴＥ端末等の無線端末によってレガシーＣＳ電話通信サービスを用いるために、更に別のソリューションがある。一種のアクセス分割多重化（ＡＤＭ）としても知られるこの更に別のソリューションでは、ＬＴＥ伝送の間にＧＳＭ  ＣＳ音声の伝送をインターリーブする。例えば、ＰＣＴ／ＳＥ２００７／０００３５８号を参照のこと。これは引用により本願にも含まれるものとする。かかるＡＤＭソリューションの一例としての実施においては、無線端末は２つのＴＤＭＡベースの無線システムと同時に通信を行う。例えば無線端末は、２つのシステム間の通信を時間的に交番させることによって、双方のシステムに対する通信経路を維持することができる。２つのシステム間のトグリングは、２つのシステム間の同時通信を効果的に行うには充分に小さい時間尺度である。
【００３１】
ＡＤＭソリューションは、ＬＴＥ有効範囲内にあるがコストを削減するため電話通信サービスのためのレガシーＣＳコア及び展開型ＧＳＭネットワークを再利用する場合に、電話通信サービスと並行して良好なＰＳ接続を達成し、電話通信サービスのための良好な有効範囲を維持しようと試みるものである。
【００３２】
ＡＤＭソリューションは、いくつかの方法で実施することができる。図１Ａに示す第１の例の実施は完全にＵＥ中心のソリューションであり、ＧＳＭ  ＣＳコアとＬＴＥ  ＰＳコアとの間が調整は必要ない。図１Ｂに示す第２の例の実施はネットワーク支援によるソリューションであり、回線交換フォールバック（ＣＳＦＢ）に基づいているか、又はＬＴＥを介したページングを再利用するだけのソリューションとすることができる。
【００３３】
無線の見地から、ＡＤＭソリューションは３つの異なる方法のいずれかで実現することができる。図２Ａに示す第１の例の無線実現の実施形態として、ＧＳＭ  ＴＤＭＡフレームレベル上でＬＴＥ伝送をＧＳＭ伝送と多重化することができる。図２Ａにおいて、ＧＳＭ伝送のフレーム及びＬＴＥ伝送のフレームは異なる濃さの陰影を有する。この第１の例のソリューションでは、ＧＳＭ回線交換（ＣＳ）電話通信サービスは２分の１レートのコーデックを用いるだけで良い。ＧＳＭが２分の１レートで動作している場合、１つおきのＧＳＭ  ＴＤＭＡフレームはユーザによって用いられない。
【００３４】
図２Ｂに示す第２の例の無線実現の実施形態として、ＧＳＭバーストレベルでＬＴＥ伝送をＧＳＭ伝送と多重化することができる。ＧＳＭは、各々が０．５７７ｍｓの持続時間を有するバーストを用いて音声を伝送する。音声動作では、１バーストを送信した後、Ｒｘ／Ｔｘ部分は７＊０．５７７ｍｓだけスリープし、これは再びウェイクアップして新しいＲｘ／Ｔｘプロセスを実行するまで続く。この第２の例では、この時間間隔をＬＴＥ伝送に用いることができる。
【００３５】
図２Ｃに示す第３の例の無線実現の実施形態では、上述のいずれかを伝送のために用いることができるが、動作の簡略化のために、ダウンリンクにおけるＧＳＭ及びＬＴＥの同時受信にデュアル受信器を用いる。
【００３６】
回線交換フォールバック（ＣＳＦＢ）のアーキテクチャ及び原理は、例えば３ＧＰＰ  ＴＳ２３．２７２「Circuit Switched Fallback in Evolved Packet System」、ステージ２（リリース８）に定義されている。これは、本明細書において「２３．２７２」と省略し、引用によりその全体が本願にも含まれるものとする。
【００３７】
現在の回線交換フォールバック（ＣＳＦＢ）ソリューションでは、無線端末（例えばユーザ機器ユニット（ＵＥ））は、ＧＳＭにおける回線交換（ＣＳ）音声の伝送を、ＬＴＥにおけるパケット交換（ＰＳ）セッションの伝送と多重化することはできない。例えば、図３に示すように、ＣＳ音声呼が発信又は終了するとすぐに、パケット交換（ＰＳ）セッションはＧＳＭに移ることができる。しかしながら、回線交換（ＣＳ）呼及びパケット交換（ＰＳ）セッションの多重化がＧＳＭにおいてサポートされていない場合、例えばＤＴＭがＧＳＭにおいてサポートされていない場合は、図４に示すようにパケット交換（ＰＳ）セッションは一時停止される。３ＧＰＰにおける最近の開発によって、一時停止を実行する方法は変更されたが、結果はなお同じである。すなわち、ＣＳ呼がアクティブである（そしてＤＴＭがサポートされていない）間、ＰＳ接続は可能でない。
【００３８】
図５に、３ＧＰＰによって定義された既存の回線交換フォールバック（ＣＳＦＢ）ソリューション（パケット交換（ＰＳ）ハンドオーバ代案を用いていない）のためのシグナリングシーケンスを示す。図５は、例えば、パケット交換（ＰＳ）ハンドオーバ（ＨＯ）なしの、Ｅ−ＵＴＲＡＮにおける発信側回線交換（ＣＳ）呼要求、ＧＥＲＡＮ（GSM Edge Radio Access Network）／ＵＴＲＡＮの呼を示す（例えば３ＧＰＰ  ＴＳ２３．２７２「Circuit Switched Fallback in Evolved Packet System」、ステージ２（リリース８）を参照のこと。これは引用によりその全体が本願にも含まれるものとする）。図５のシーケンスの結果、パケットスイッチベアラはＧＳＭに移る（例えばステップ６のルーティングエリア（ＲＡ）更新手順又は組み合わせＲＡ／ＬＡ更新手順によって）。例えばＧＳＭにおいてＤＴＭをサポートしないことでＣＳ＋ＰＳ多重化がサポートされていない場合、ＣＳ呼の持続時間中、ＰＳベアラも一時停止される。
【００３９】
図５の様々な詳細に関して、ステップ３は一般的に、（システム情報あり又はなしの）ＵＥの解放に関連した動作を示す。ＵＥの解放、従ってＬＴＥのためのパケット交換（ＰＳ）ベアラの解放は、ステップ３ａで示すようなネットワーク補助セル変更（例えばＮＡＣＣ）又はターゲットアクセスのためのＲＲＣ接続解放のいずれかによって生じる。従来、ネットワーク補助セル変更（例えばＮＡＣＣ）は、相互無線（inter-radio）アクセス技術（例えばインターラット）セル変更指示メッセージであり、どのアクセス及びどのセルに向かうかに関してシステム情報を含む情報を端末に提供するが、ＲＲＣ接続解放は、アクセス及び周波数等の一般的な転送情報のみを含む。図５のステップ４は、ｅノードＢがＳ１−ＡＰコンテキスト解放要求メッセージをモビリティ管理エンティティ（ＭＭＥ）に送信することを示し、この結果、図５のステップ５に示すようにＳ１接続の解放（例えばＳ１  ＵＥコンテキスト解放）が生じる。図５のステップ６は、ＧＥＲＡＮ／ＵＴＲＡＮＰＳドメインへのルーティングエリア（ＲＡ）更新手順の実行を示す。また、本明細書に開示する技術の状況では、図５のステップ６は、ＧＥＲＡＮへのルーティングエリア更新手順を示す／に適用される。図５のステップ７ａ、７ｂ、及び８は、ＧＳＭパケット交換（ＰＳ）ベアラの一時停止に関する（ＧＳＭにおいてＤＴＭがサポートされていない場合）。図５のステップ１１は、ＧＳＭ  ＰＳベアラがステップ７ａ、７ｂ、及び８によって一時停止された場合、回線交換（ＣＳ）呼が終了した後で、ルーティングエリア（ＲＡ）更新（又は組み合わせＲＡ／ＬＡ更新）を実行して、ＬＴＥパケット交換（ＰＳ）ベアラを再開することを示す。図５に関する更に別の詳細については、例えば、３ＧＰＰ  ＴＳ２３．２７２「Circuit Switched Fallback in Evolved Packet System」、ステージ２（リリース８）、第６．５章を参照のこと。これは引用により本願にも含まれるものとする。
【００４０】
図６は、パケット交換（ＰＳ）ハンドオーバ（ＨＯ）なしの、Ｅ−ＵＴＲＡＮにおけるＣＳ呼要求、ＧＥＲＡＮ／ＵＴＲＡＮにおける呼の終了を示す（例えば３ＧＰＰ  ＴＳ２３．２７２「Circuit Switched Fallback in Evolved Packet System」、ステージ２（リリース８）を参照のこと）。図６の様々な詳細に関して、ステップ３は一般に、（システム情報あり又はなしの）ＵＥの解放に関連した動作を示す。ＵＥの解放、従ってＬＴＥのためのパケット交換（ＰＳ）ベアラの解放は、ステップ３ａで示すようなネットワーク補助セル変更（例えばＮＡＣＣ）又はターゲットアクセスのためのＲＲＣ接続解放のいずれかによって生じる。図６のステップ４は、ｅノードＢがＳ１−ＡＰコンテキスト解放要求メッセージをＭＭＥに送信することを示し、この結果、図６のステップ５に示すようにＳ１接続の解放（例えばＳ１  ＵＥコンテキスト解放）が生じる。図６のステップ６は、ＧＥＲＡＮ／ＵＴＲＡＮ  ＰＳドメインへのルーティングエリア（ＲＡ）更新の実行を示す。また、本明細書に開示する技術の状況では、図５のステップ６は、ＧＳＭのためのＧＥＲＡＮ（例えばＧＥＲＡＮ（ＧＳＭ））へのルーティングエリア更新手順を示す／に適用される。図６のステップ７ａ、７ｂ、及び８は、ＧＳＭパケット交換（ＰＳ）ベアラの一時停止に関する（ＧＳＭにおいてＤＴＭがサポートされていない場合）。図６に関するこれ以上の詳細については、例えば、３ＧＰＰ  ＴＳ２３．２７２「Circuit Switched Fallback in Evolved Packet System」、ステージ２（リリース８）、第７．４章を参照のこと。これは引用により本願にも含まれるものとする。図６には示さないが、３ＧＰＰ  ＴＳ２３．２７２「Circuit Switched Fallback in Evolved Packet System」、ステージ２（リリース８）の第７．４章に言及されているように、ＰＳベアラがステップ７ａ、７ｂ、及び８によって一時停止された場合、ＣＳ呼が終了した後で、無線端末はルーティングエリア（ＲＡ）更新（又は組み合わせＲＡ／ＬＡ更新）を実行して、ＬＴＥ  ＰＳベアラを再開する。
【課題を解決するための手段】
【００４１】
本明細書に開示した技術が提供する実施形態及びモードにおいては、回線交換フォールバック（ＣＳＦＢ）ソリューションを改良して、ＧＳＭにおける回線交換（ＣＳ）音声を、ＬＴＥにおけるパケット交換（ＰＳ）セッションと多重化することを可能とする。
【００４２】
一態様において、本明細書に開示する技術は、ＬＴＥ無線アクセス技術ネットワーク及び回線交換ネットワークにより無線インタフェースを介して通信を行うように構成された無線端末を動作させる方法に関する。この方法は、回線交換ネットワークによる回線交換呼を確立することと、回線交換呼の確立時にＬＴＥ無線アクセス技術ネットワークによるパケット交換セッションを維持することと、その後、パケット交換セッションの伝送を回線交換呼の伝送と多重化することと、を含む。一例の実施では、この方法は、回線交換呼の少なくとも一部の間にパケット交換セッションを維持することを更に含む。
【００４３】
本明細書に開示する技術は、端末中心モード又はネットワーク中心モードのいずれかで動作させることができる。端末中心モードの一例のモード及び実施形態では、この方法は、回線交換呼の確立時に、ＬＴＥネットワークのノードから、回線交換呼に対応するための回線交換ネットワークに移るための指示を受信することと、無線端末が、ルーティングエリア更新及び組み合わせルーティングエリア／ロケーションエリア更新を実行しないことと、ＬＴＥネットワークにおいてパケット交換ベアラを再確立することと、を更に含む。
【００４４】
ネットワーク中心モードでは、無線端末の方法は、回線交換呼の確立時に、ＬＴＥネットワークのノードから、回線交換呼に対応するための回線交換ネットワークに移るための指示を受信することと、（必要な場合）ロケーションエリア（ＬＡ）更新を実行するが、ルーティングエリア更新又は組み合わせルーティングエリア／ロケーションエリア更新を実行しないことと、を更に含む。ネットワーク中心モードでは、ロケーションエリア（ＬＡ）更新の実行は任意である。すなわち、これは、いくつかの場合にのみ（例えばＣＳＦＢソリューションに従って以前の登録から端末にＬＡが記憶されている場合）、実行される。
【００４５】
端末中心の動作モードでは、ネットワーク中心の動作モードにある場合に対して、端末は、ルーティングエリア更新（ＲＡＵ）を実行しないことを独自に決定する。これは、パケット交換セッションを維持することを含む指示の一部である。
【００４６】
別の態様において、本明細書に開示する技術は、回線交換呼の確立時にＬＴＥ無線アクセス技術ネットワークによるパケット交換セッションを維持すると共にパケット交換セッションの伝送を回線交換呼の伝送と多重化するように構成された無線端末に関する。一例の実施形態では、無線端末は、回線交換呼の少なくとも一部の間にパケット交換セッションを維持するように構成されている。
【００４７】
一例の実施形態において、無線端末は、回線交換呼コントローラと、パケット交換セッションコントローラと、通信インタフェースと、を含む。回線交換呼コントローラは、回線交換呼を確立すると共に回線交換呼の伝送を制御するように構成されている。パケット交換セッションコントローラは、回線交換呼の確立時にパケット交換セッションの伝送を含むパケット交換セッションを確立してこれを維持するように構成されている。通信インタフェースは、回線交換呼の伝送及びパケット交換セッションの伝送を含む無線インタフェースを介した伝送を実行するように構成されている。
【００４８】
無線端末の一例の端末中心の実施形態では、パケット交換呼コントローラが、回線交換呼の確立時に、ルーティングエリア更新及び組み合わせルーティングエリア／ロケーションエリア更新を実行せず、ＬＴＥネットワークにおいてパケット交換ベアラを再確立する
ように構成されている。
【００４９】
無線端末の一例のネットワーク中心の実施形態では、パケット交換呼コントローラが、回線交換呼の確立時に、ＬＴＥネットワークのノードから、回線交換呼に対応するための回線交換ネットワークに移るための指示を受信し、任意に、ロケーションエリア（ＬＡ）更新を実行するが、ルーティングエリア更新又は組み合わせルーティングエリア／ロケーションエリア更新を実行しないように構成されている。
【００５０】
別の態様では、本明細書に開示する技術は、ＬＴＥネットワークの基地局ノードに関する。基地局ノードは、無線端末を伴う回線交換呼の確立時に無線端末によりパケット交換セッションを維持するように構成されている。一例の実施では、基地局ノードは、パケット交換セッションのパケット交換ベアラを解放することなく、回線交換呼に対応するための回線交換ネットワークに移るように無線端末に指示するように構成されたコントローラを含む。
【００５１】
別の態様では、本明細書に開示する技術は、ＬＴＥネットワークの基地局ノードを動作させる方法に関する。この方法は、無線端末によりパケット交換セッションに関与することと、次いで、無線端末を伴う回線交換呼の確立時に無線端末によりパケット交換セッションを維持することと、を含む。パケット交換セッションを維持する行為は、パケット交換セッションのパケット交換ベアラを解放することなく回線交換ネットワークに移るように無線端末に指示することと、パケット交換セッションの解放を要求しないことと、を含む。
【００５２】
別の態様では、本明細書に開示する技術は、通信システムを動作させる方法に関する。通信システムは、回線交換ネットワーク及びＬＴＥ無線アクセス技術ネットワークを含む。システム動作方法は、無線端末とＬＴＥネットワークとの間でパケット交換セッションを確立することと、パケット交換セッションの間に、無線端末と回線交換ネットワークとの間で回線交換呼を確立することと、回線交換呼の確立時に、ＬＴＥ無線アクセス技術ネットワークによるパケット交換セッションを維持することと、パケット交換セッションの伝送と回線交換呼の伝送を多重化することと、を含む。
【００５３】
一例の端末中心のモード及び実施形態において、システム方法は、回線交換呼の確立中に、無線端末が、ルーティングエリア更新及び組み合わせルーティングエリア／ロケーションエリア更新を実行しないことと、ＬＴＥネットワークにおいてパケット交換ベアラを再確立することと、を更に含む。一例のネットワーク中心のモード及び実施形態において、システム方法は、ＬＴＥネットワークのノードが、パケット交換セッションのパケット交換ベアラを解放することなく回線交換呼に対応するための回線交換ネットワークに移るように無線端末に指示することと、無線端末が、ロケーションエリア（ＬＡ）更新を実行するがルーティングエリア更新又は組み合わせルーティングエリア／ロケーションエリア更新を実行しないことと、を更に含む。  
【００５４】
本発明の前述及びその他の目的、特徴、及び利点は、添付図面に示されたような好適な実施形態の以下の更に具体的な説明から明らかとなろう。様々な図面を通して、参照符号は同一の部分を示す。図面は必ずしも一定の縮尺どおりではなく、本発明の原理を示すために強調されている。
【図面の簡単な説明】
【００５５】
【図１Ａ】ＧＳＭ  ＣＳコードとＬＴＥ  ＰＳコードとの間で調整を必要としない完全にＵＥ中心のソリューションＡＤＭソリューションを示す図である。
【図１Ｂ】ＣＳフォールバック（ＣＳＦＢ）に基づいているか、又はＬＴＥを介したページングを再利用するだけのソリューションとすることができる、ネットワーク支援によるＡＤＭソリューションを示す図である。
【図２Ａ】ＡＤＭソリューションを示す一例としての無線実現の実施形態であり、２分の１レートのＧＳＭによる単一の受信器／送信器を含み、ＴＤＭＡフレームレベルで多重化を行う実施形態を示す。
【図２Ｂ】ＡＤＭソリューションを示す一例としての無線実現の実施形態であり、単一の受信器／送信器を含み、バースト周期レベルで多重化を行う実施形態を示す。
【図２Ｃ】ＡＤＭソリューションを示す一例としての無線実現の実施形態であり、デュアル受信器／送信器を含む実施形態を示す。
【図３】従来の実施に従った、回線交換（ＣＳ）音声呼が発信又は終了されるとすぐに行われるパケット交換セッションの２Ｇ（例えばＧＳＭ）無線アクセスネットワークへの移動を示す図である。
【図４】回線交換（ＣＳ）音声を多重化し、パケット交換（ＰＳ）セッションがＧＳＭにおいてサポートされていない、従来の実施に従った、回線交換（ＣＳ）音声呼が発信又は終了されると行われるパケット交換（ＰＳ）セッションの一時停止を示す図である。
【図５】無線端末が、３ＧＰＰによって定義された回線交換フォールバック（ＣＳＦＢ）ソリューションにおいて回線交換（ＣＳ）呼を発信した場合の、シグナリングシーケンスを示す図である。
【図６】無線端末が、３ＧＰＰによって定義された回線交換フォールバック（ＣＳＦＢ）ソリューションにおいて回線交換（ＣＳ）呼を終了した場合の、シグナリングシーケンスを示す図である。
【図７】ＬＴＥネットワーク及びＧＳＭネットワークによるアクセス分割多重化（ＡＤＭ）に関与する無線端末を示す図である。
【図８】パケット交換（ＰＳ）セッションがＧＳＭに移らない、本明細書に開示する技術の高度回線交換（ＣＳ）フォールバック（ＣＳＦＢ）動作を示す図である。
【図９】一例のモード及び実施形態に従った、無線端末を動作させる方法を含む基本的、代表的な行為又はステップを示すフローチャートである。
【図１０Ａ】端末中心のモード及び実施形態における、図９の基本的な方法の行為又はステップを含む基本的、代表的なサブ行為又はサブステップを示すフローチャートである。
【図１０Ｂ】ネットワーク中心のモード及び実施形態における、図９の基本的な方法の行為又はステップを含む基本的、代表的なサブ行為又はサブステップを示すフローチャートである。
【図１１】無線端末の一例の実施形態の概略図である。
【図１２】プラットフォーム実施を示す無線端末の一例の実施形態の更に詳細な概略図である。
【図１３】ＬＴＥネットワークの基地局（例えばｅノードＢ）の一例の実施形態の概略図である。
【図１４】一例のモード及び実施形態に従った、ＬＴＥネットワークの基地局を動作させる方法を含む基本的、代表的な行為又はステップを示すフローチャートである。
【図１５】一例のモード及び実施形態に従った、通信システムを動作させる方法を含む基本的、代表的な行為又はステップを示すフローチャートである。
【図１５Ａ】端末中心のモード及び実施形態における、図１５の基本的な方法の行為又はステップを含む基本的、代表的なサブ行為又はサブステップを示すフローチャートである。
【図１５Ｂ】ネットワーク中心のモード及び実施形態における、図１５の基本的な方法の行為又はステップを含む基本的、代表的なサブ行為又はサブステップを示すフローチャートである。
【図１６】ＰＳ  ＨＯ変更を必要としないＥ−ＵＴＲＡＮの発信ＣＳ呼要求、ＧＥＲＡＮの呼を示す概略図である。
【図１７】ＰＳ  ＨＯ変更を必要としないＥ−ＵＴＲＡＮのＣＳ呼要求の終了、ＧＥＲＡＮ／ＵＴＲＡＮの呼を示す概略図である。
【図１８】ＰＳ  ＨＯ変更を必要としないＥ−ＵＴＲＡＮの発信ＣＳ呼要求、ＧＥＲＡＮの呼を示す概略図である。
【図１９】ＰＳ  ＨＯ変更を必要としないＥ−ＵＴＲＡＮのＣＳ呼要求の終了、ＧＥＲＡＮ／ＵＴＲＡＮの呼を示す概略図である。
【発明を実施するための形態】
【００５６】
以下の説明では、限定ではなく説明の目的で、本発明の完全な理解を得るために、特定のアーキテクチャ、インタフェース、技法等の具体的な詳細事項を記載する。しかしながら、本発明はこれらの具体的な詳細事項から逸脱した他の実施形態においても実施可能であることは、当業者には明らかであろう。すなわち、当業者は、本明細書において明示的に記載も図示も行わないが本発明の原理を具現化しその精神及び範囲に含まれる様々な構成を考案することができる。場合によっては、本発明の記載を不必要な詳細によって不明瞭としないように、周知のデバイス、回路、及び方法の詳細な記載は省略する。本発明の原理、態様、及び実施形態、並びにその具体的な例を述べる本明細書における全ての記述は、その構造的及び機能的な均等物を包含することが意図される。更に、かかる均等物は、現在既知の均等物及び今後開発される均等物すなわち構造にかかわらず同一の機能を実行する開発されるあらゆる要素の双方を含むことが意図される。
【００５７】
従って、例えば、本明細書におけるブロック図が、技術の原理を具現化する例示的な回路又は他の機能ユニットの概念図を表すことができることは、当業者には認められよう。同様に、いずれかのフローチャート、状態遷移図、疑似コード等が表す様々なプロセスは、コンピュータ読み取り可能媒体において実質的に表現することができ、コンピュータ又はプロセッサによって実行可能である（かかるコンピュータ又はプロセッサが明示的に図示されていても図示されていなくても）ことは、認められよう。
【００５８】
限定ではないが、「コンピュータ」、「プロセッサ」、又は「コントローラ」のように標示又は記載されたものを含む機能ブロックを含む様々な要素の機能は、コンピュータ読み取り可能媒体上に記憶された符号化命令の形態のソフトウェアを実行可能な回路ハードウェア及び／又はハードウェア等のハードウェアの使用により提供することができる。このため、かかる機能及び例示した機能ブロックは、ハードウェア実施及び／又はコンピュータ実施のいずれかであり、従って機械実施であると理解される。
【００５９】
ハードウェア実施の観点から、機能ブロックは、限定でないが、デジタル信号プロセッサ（ＤＳＰ）ハードウェア、縮小命令セットプロセッサ、ハードウェア（例えばデジタル又はアナログ）回路を含むか又は包含することができ、これは、限定ではないが特定用途向け集積回路（複数の回路）（ＡＳＩＣ）、及び（適切な場合）かかる機能を実行可能な状態機械を含む。
【００６０】
コンピュータ実施の観点から、コンピュータは一般に１つ以上のプロセッサ又は１つ以上のコントローラを含むと理解され、コンピュータ及びプロセッサ及びコントローラという言葉は本明細書において交換可能に用いることができる。コンピュータ又はプロセッサ又はコントローラによって提供される場合、機能は単一の専用コンピュータもしくはプロセッサもしくはコントローラによって、単一の共有のコンピュータもしくはプロセッサもしくはコントローラによって、又は複数の個別のコンピュータもしくはプロセッサもしくはコントローラによってそれらの一部を共有もしくは分散させることによって提供することができる。更に、「プロセッサ」又は「コントローラ」という言葉の使用は、上述の例のハードウェア等、かかる機能を実行する及び／又はソフトウェアを実行することができる他のハードウェアも示すと解釈されるものとする。
【００６１】
本明細書に開示する技術が提供する実施形態及びモードにおいては、回線交換フォールバック（ＣＳＦＢ）ソリューションを改良して、ＧＳＭにおける回線交換（ＣＳ）音声を、ＬＴＥにおけるパケット交換（ＰＳ）セッションと多重化することを可能とする。図７は、本明細書に開示する技術の一態様による一例としての状況を示し、この場合、ユーザ機器ユニット（ＵＥ）又は無線端末３０が、並行した２つの無線アクセス技術ネットワークを用いてアクセス分割多重化（ＡＤＭ）に関与することができる。図７は、ＬＴＥネットワーク２２−１のセル及びＧＳＭネットワーク２２−２（２Ｇネットワーク）のセルを示す。ＬＴＥネットワーク２２−１は基地局又はｅノードＢ２８−１を含み、２Ｇネットワーク２２−２は基地局２８−２を含む。上述のように、ＬＴＥネットワーク２２−１は回線交換（ＣＳ）サービスを提供しないので、ＬＴＥネットワーク２２−１が提供するパケット交換（ＰＳ）サービスに関与する無線端末３０は、例えば回線交換（ＣＳ）サービスのためのＧＳＭネットワーク２２−２のような別のネットワークに移らなければならない。
【００６２】
図８は、ＧＳＭネットワーク２２−２及びＬＴＥネットワーク２２−１の各コアネットワークに対する接続を示す。具体的には、図８は、２Ｇ又はＧＳＭネットワーク２２−２がモバイル交換センタ（ＭＳＣ−Ｓ）３３及びメディアゲートウェイ（ＭＧＷ）３４を介してＰＳＴＮ３２に接続されていることを示す。図８は更に、ＬＴＥネットワーク２２−１がサービングゲートウェイ（ＳＡＥ−ＧＷ）３６を介してパケットデータネットワーク（ＰＤＮ）３５に接続されていることを示す。また、図８の第１の（上部の）セグメントは、ＬＴＥネットワーク２２−１のパケット交換（ＰＳ）に従事する無線端末３０について、ＰＳＴＮ３２からのページがＭＭＥ３７を介して送信されることを示す。
【００６３】
本明細書に開示し、図８の第２の（下部の）セグメントに示す一例の実施形態及びモードにおいては、無線端末３０は、回線交換フォールバック（ＣＳＦＢ）代案セル変更オーダー（ＮＡＣＣあり又はなし）によって、又は、２００７年３月２３日に出願されたＰＴＣ出願ＰＣＴ／ＳＥ２００７／０５０１８０号、公開ＷＯ２００８／０８８２５８号（これは引用によりその全体が本願にも含まれるものとする）に記載されたように自発的に、ＧＳＭネットワーク２２−２に移される。回線交換フォールバック（ＣＳＦＢ）技法によってＧＳＭに移るにもかかわらず、本明細書に開示する技術に従って、図８の第２の（下部の）セグメントに示すように、ＬＴＥネットワーク２２−１においてパケット交換（ＰＳ）セッションは保持される。ＧＳＭネットワーク２２−２では回線交換（ＣＳ）呼確立のみが実行される。ＣＳ呼確立の実行時にＬＴＥネットワーク２２−１においてパケット交換（ＰＳ）セッションを維持すること（及び結果として得られるＣＳ呼）は、ＰＣＴ／ＳＥ２００７／０００３５８（引用によりその全体が本願にも含まれる）のもの等の多重化機能を利用して、ＧＳＭにおける回線交換（ＣＳ）呼及びＬＴＥにおけるＰＳセッションを多重化することによって可能となる。
【００６４】
図９は、図８の無線端末３０等の無線端末を動作させる方法に含まれる例示的、基本的、代表的な行為又はステップを示す。図９の行為９−１は、回線交換ネットワークを用いて回線交換呼を確立することを含む。行為９−２は、回線交換呼の確立時に、ＬＴＥ無線アクセス技術ネットワーク２２−１を用いてパケット交換セッションを維持することを含む。行為９−３は、その後、パケット交換セッションの伝送を回線交換呼の伝送と多重化することを含む。例示的な実施では、この方法は、回線交換呼の確立中だけでなく回線交換呼の少なくとも一部の間もパケット交換セッションを維持することを更に含む。
【００６５】
本明細書において用いる場合、回線交換呼の確立時にパケット交換セッションを「維持すること」は、パケット交換セッションが連続的にそのままであり変更されないことを必ずしも意味しない。いくつかの（例えば「ネットワーク中心の」）例のモード及び実施形態では、パケット交換セッションを「維持する」行為は、既存のパケット交換ベアラを本質的に途切れないように保持することを含み、他の（例えば端末中心の）例のモード及び実施形態では、パケット交換セッションを「維持する」行為は、ＬＴＥパケット交換セッションのためのパケット交換ベアラを少なくとも瞬間的に解放可能である可能性を含む。しかしながら、いずれかの解放されたパケット交換ベアラ又は置換したものは、ＬＴＥネットワークにおいて再確立又は再開されるので、ベアラがいずれかの他のネットワークで確立されてその他のネットワークでセッションを続けるわけではない。このため、本質的には、パケット交換セッションを「維持すること」が意味するのは、回線交換呼の確立時にパケット交換セッションが永久的に入れ替えられるのでもなく他のネットワーク（例えば回線交換又は２Ｇネットワーク）に移されるのでもないということである。
【００６６】
上述のように、本明細書に開示する技術は、端末中心及びネットワーク中心の双方のモード及び実施形態を含む。端末中心のモード及び実施形態は、既存の３ＧＰＰ仕様に基づいた端末において実施することができる。一方、ネットワーク中心のモード及び実施形態は、ＬＴＥにおいてＰＳベアラを解放（及び再確立）せず、このためＰＳベアラに対する短い中断さえ生じない。
【００６７】
図１０Ａは、一例の端末中心のモード及び実施形態における行為９−２を含む例示的なサブ行為を示す。具体的には、回線交換呼の確立中、サブ行為９−２Ａ−１として、無線端末はルーティングエリア更新手順及び組み合わせルーティングエリア／ロケーションエリア更新手順の実行を行わない。サブ行為９−２Ａ−２は、無線端末がＬＴＥネットワークにおいてパケット交換ベアラを再確立することを含む。
【００６８】
図１０Ｂは、一例の端末中心のモード及び実施形態における行為９−２を含む例示的なサブ行為を示す。具体的には、回線交換呼の確立中、サブ行為９−２Ｂ−１として、無線端末はＬＴＥネットワークのノードからの指示を受信して、回線交換呼に対応するための回線交換ネットワークに移る。サブ行為９−２Ｂ−２として、無線端末はロケーションエリア（ＬＡ）更新を実行するが、ルーティングエリア更新又は組み合わせルーティングエリア／ロケーションエリア更新は実行しない。
【００６９】
図１１は、無線端末３０の例示的、一般的、及び基本的な実施形態を示す。図１１に示すように、無線端末３０は、通信インタフェース４０と、回線交換呼コントローラ４２と、パケット交換セッションコントローラ４４と、を含む。回線交換呼コントローラ４２は、回線交換呼を確立し回線交換呼の伝送を制御するように構成されている。パケット交換セッションコントローラ４４は、パケット交換セッションの伝送を含むパケット交換セッションを確立し維持するように構成されている。通信インタフェース４０は、回線交換呼の伝送及びパケット交換セッションの伝送を含む無線インタフェース上の伝送を実行するように構成されている。
【００７０】
回線交換呼コントローラ４２及びパケット交換セッションコントローラ４４は様々な点で共に動作するが、無線端末の機能性に関する限り、回線交換呼の確立時にＬＴＥ無線アクセス技術ネットワークを用いてパケット交換セッションを維持することは、主にパケット交換セッションコントローラ４４の役割である。すなわち、無線端末３０内で、図１０Ａ及び図１０Ｂのサブ行為は主にパケット交換セッションコントローラ４４によって実行される。一例の実施では、無線端末は、回線交換呼の確立中だけでなく回線交換呼の少なくとも一部の間もパケット交換セッションを維持することが好ましい。
【００７１】
また、無線端末はスケジューラ４６も含む。これは、例えばどのフレーム（複数のフレーム）又はバースト（複数のバースト）をＧＳＭ及びＬＴＥ伝送に利用するかを決定するように構成されている。スケジューラ４６は、ＬＴＥ及びＧＳＭ伝送を多重化する行為９−３を容易にするために特に役立つ。図１１に示すように、スケジューラ４６は、回線交換呼コントローラ４２及び４４の双方によって構成されるか、又はそれらによって参照される。
【００７２】
図１２は、無線端末３０（１２）の更に詳細な例示的な実施形態を示す。この場合、いくつかの機能性をプラットフォーム６０によって実現する、及び／又はプラットフォーム６０上に提供することができる。「プラットフォーム」という用語は、どのように通信ユニット又はノードの機能ユニットが機械によって実施又は実現可能であるかを記述する１つの方法である。一例のプラットフォームはコンピュータによる実施であり、限定ではないが、回線交換呼コントローラ４２及びパケット交換セッションコントローラ４４を含む要素の１つ以上が、線６０による枠内に入っている。
【００７３】
一例の実施では、プラットフォーム６０の枠内に入っているものと示す機能性及び他の機能性は、本明細書に記載する様々な行為を実行するためメモリに記憶された符号化命令（例えば非一時的な信号）を実行する１つ以上のプロセッサによって実現することができる。かかるコンピュータ実施では、無線端末は、プロセッサ（複数のプロセッサ）に加えてメモリセクション６２を含むことができる（これは、ランダムアクセスメモリ６４、読み出し専用メモリ６６、アプリケーションメモリ６８（これは例えば本明細書に記載した行為をプロセッサによって行うために実行可能な符号化命令を記憶する）、及び、例えばキャッシュメモリ等のいずれかの他のメモリを含むことができる）。
【００７４】
具体的に例示する場合もしない場合も、典型的に、本明細書において論じる実施形態の各々の無線端末は、いくつかの入出力ユニット又は機能性も含むことができる。図１２において、無線端末の各入出力ユニットは、キーボード７０、聴覚入力デバイス（例えばマイクロフォン）７２、視覚入力デバイス（例えばカメラ）７４、視覚出力デバイス（例えばディスプレイ７６）、及び聴覚出力デバイス（例えばスピーカ）７８として図示されている。また、他のタイプの入出力デバイスも無線端末３０に接続するか又は無線端末３０に含むことができる。
【００７５】
図１２の例において、プラットフォーム６０はコンピュータ実施又はコンピュータベースのプラットフォームとして図示されている。別の例の無線端末のためのプラットフォーム６０は、ハードウェア回路のものとすることができる。これは例えば特定用途向け集積回路（ＡＳＩＣ）であり、この場合、本明細書に記載した様々な行為を実行するように回路要素を構築して動作させる。
【００７６】
更に、本明細書において用いる場合、「無線端末（複数の端末）」又は「ＵＥ」は、限定ではないが、移動電話（「セル式」電話）及び無線機能を有するラップトップ（例えば移動終端器）等の移動局又はユーザ機器ユニット（ＵＥ）とすることができ、このため、例えば、無線アクセスネットワークによって音声及び／又はデータの通信を行う携帯型、ポケット型、手持ち型、コンピュータ内蔵、又は車載移動デバイスとすることができることは認められよう。
【００７７】
図１３は、ＬＴＥネットワークの基地局（例えばｅノードＢ）の一例の実施形態を示す。ｅノードＢ２８は、通信インタフェース８２と、通信処理装置８４と、パケット交換セッションコントローラ８６と、を含む。通信インタフェース８２は、無線インタフェースを介したインターリーブ伝送、並びに、によって監督されるパケット交換セッションのセットアップ、継続、及び管理に関する信号及びメッセージの通信を容易にする。通信処理装置８４は、伝送前のデータの前処理及び伝送後のデータの後処理の双方等、インターリーブ伝送を処理するためのスケジューリングマップに従って動作する。パケット交換セッションコントローラ８６は、ＬＴＥネットワークのｅノードＢ２８が関与するパケット交換セッションのセットアップ、継続、及び管理を制御及び監督する。パケット交換セッションコントローラ８６が実行又は制御する行為には図１４に示すものがある。
【００７８】
一例の実施では、プラットフォーム９０の枠内に示されるｅノードＢ２８の機能性及び他の機能性は、本明細書に記載する様々な行為を実行するためメモリに記憶された符号化命令（例えば非一時的信号）を実行する１つ以上のプロセッサによって、又は１つ以上のハードウェアもしくは集積回路によって実現可能であることは認められよう。また、無線端末のプラットフォーム実施に関する前述の記述は、一般にｅノードＢのプラットフォーム実施にも適用される。
【００７９】
図１４は、一例のモード及び実施形態に従ったＬＴＥネットワークの基地局（例えばｅノードＢ２８）を動作させる方法を含む基本的かつ代表的な行為又はステップを示す。行為１４−１は、無線端末によるパケット交換セッションに関与することを含む。行為１４−２は、無線端末を伴う回線交換呼の確立時に無線端末によるパケット交換セッションを維持することを含む。パケット交換セッションを維持する行為１４−２は、パケット交換セッションのパケット交換ベアラを解放することなく回線交換ネットワークに移るように無線端末に指示し、パケット交換セッションの解放を要求しないことを含む。
【００８０】
図１５は、ＬＴＥネットワーク２２−１及びＧＳＭネットワーク２２−２を含む通信システムを動作させる方法に含まれるステップの基本的、代表的、例示的な行為を示す。行為１５−０は、無線端末とＬＴＥネットワークとの間でパケット交換セッションを確立することを含む。行為１５−１は、パケット交換セッションの間に、ｅノードＢ２８が、回線交換呼に対応するための回線交換ネットワークへ移るように無線端末３０に指示を送信することを含む。行為１５−２は、無線端末と回線交換ネットワークとの間で回線交換呼を確立することを含む。行為１５−３は、回線交換呼を確立しながら、ＬＴＥ無線アクセス技術ネットワークによってパケット交換セッションを維持することを含む。行為１５−４は、パケット交換セッションの伝送を回線交換呼の伝送と多重化することを含む。一例のモード及び実施形態では、システム方法は、回線交換（ＣＳ）呼の確立中だけでなく回線交換呼の少なくとも一部の間もパケット交換セッションを維持することを更に含む。
【００８１】
図１５Ａは、一例の端末中心のモード及び実施形態における行為１５−３を含む一例のサブ行為を示す。具体的には、回線交換呼の確立中、サブ行為１５−３Ａ−１として、無線端末はルーティングエリア更新手順及び組み合わせルーティングエリア／ロケーションエリア更新手順の実行を行わない。サブ行為１５−３Ｂ−２は、無線端末がＬＴＥネットワークにおいてパケット交換ベアラを再確立することを含む。
【００８２】
図１５Ｂは、一例の端末中心のモード及び実施形態における行為１５−３を含む一例のサブ行為を示す。具体的には、回線交換呼の確立中、サブ行為１５−３Ｂ−１として、無線端末はロケーションエリア（ＬＡ）更新を（必要な場合）行うが、ルーティングエリア更新及び組み合わせルーティングエリア／ロケーションエリア更新を実行しない。上述のように、ロケーションエリア（ＬＡ）更新はネットワーク中心のモード及び実施形態において任意である。これは、ロケーションエリア（ＬＡ）が以前の登録から無線端末に記憶されている場合等、いくつかの場合にのみ実行されるからである。
【００８３】
図５に対して、図１６は、端末中心のモード及び実施形態のいくつかの変形を示す。端末中心のモード及び実施形態について、パケット交換（ＰＳ）ハンドオーバ（ＨＯ）なしで、Ｅ−ＵＴＲＡＮにおける回線交換（ＣＳ）呼要求及びＧＥＲＡＮにおける呼を発信する場合に、図示し以下に論じる変形を用いて本明細書に開示する技術を実施する。図１６に示すように、図５の回線交換フォールバック（ＣＳＦＢ）ソリューションに対する変更は以下の通りである。
【００８４】
・ＳＧＳＮに対するルーティングエリア（ＲＡ）更新手順（又は組み合わせルーティングエリア（ＲＡ）／ロケーションエリア（ＬＡ）更新）手順は行わないが、ロケーションエリア（ＬＡ）更新を任意に（３ＧＰＰ仕様２３．２７２に定義されたように）実行する（図１６の変更ステップ６に示す）。
【００８５】
・ＧＳＭパケット交換（ＰＳ）ベアラの一時停止なし（図５のステップ７ａ、７ｂ、及び８は図１６では用いないことに留意すべきである）。
【００８６】
・ＬＴＥネットワークにおけるパケット交換（ＰＳ）ベアラの再確立（無線端末３０のパケット交換セッションコントローラ４４による）（追加ステップ７−新として示す）。
【００８７】
・呼が終了した後にパケット交換（ＰＳ）ベアラを再開するためにルーティングエリア（ＲＡ）更新手順（又は組み合わせルーティングエリア（ＲＡ）／ロケーションエリア（ＬＡ）更新手順）を行わない。ＣＳ呼の間にＬＴＥにおいてＰＳベアラが維持されているからである（図５のステップ１１は図１６では用いないことに留意すべきである）。
【００８８】
任意に、回線交換（ＣＳ）呼が完了した後（ＬＴＥにおいて実行された回線交換（ＣＳ）登録による追跡エリア更新の実行によって）、無線端末は回線交換（ＣＳ）サービスのために再登録することができる。
【００８９】
図１６のステップ７−新とステップ６〜１０との間のタイミングは重要でなく、従って変動する場合がある。例えば、ステップ７−新は図１６のステップ５の後のいずれの時点でも実行可能である。ステップ７−新の配置及び順序は、例えば無線端末における実施上の事項とすることができる。
【００９０】
図１６のステップ３の変形は、既存のＲＲＣメッセージの変形として用いて、単にＧＥＲＡＮに移って回線交換（ＣＳ）サービスを処理する（が、Ｅ−ＵＴＲＡＮにおけるＰＳ接続は維持する）ように無線端末に指示することができる。例えば、ＥＵＴＲＡコマンドからのモビリティ（セル変更指示）及びＲＲＣ接続解放をそれぞれ参照のこと（例えば３ＧＰＰ  ＴＳ３６．３３１、無線リソース制御（ＲＲＣ）、プロトコル仕様（これは引用により本願にも含まれるものとする））。また、これは、ＧＥＲＡＮに移って回線交換（ＣＳ）サービスを処理する（が、Ｅ−ＵＴＲＡＮにおけるパケット交換（ＰＳ）接続は維持する）ように無線端末に指示する機能によって新しいメッセージを生成することで実行可能である。
【００９１】
図６に対して、図１７は、端末中心のモード及び実施形態のためのいくつかの変形を示す。端末中心のモード及び実施形態について、パケット交換（ＰＳ）ハンドオーバ（ＨＯ）なしで、Ｅ−ＵＴＲＡＮにおける回線交換（ＣＳ）呼要求及びＧＥＲＡＮにおける呼を終了する場合に、図示し以下に論じる変形を用いて本明細書に開示した技術を実施する必要がある。図１７に示すように、図６の回線交換フォールバック（ＣＳＦＢ）ソリューションに対する変更は以下の通りである。
【００９２】
・ＳＧＳＮに対するルーティングエリア（ＲＡ）更新（又は組み合わせルーティングエリア（ＲＡ）／ロケーションエリア（ＬＡ）更新）は行わないが、ＬＡ更新を任意に（３ＧＰＰ仕様２３．２７２に定義されたように）実行する（図１７の変更ステップ６に示す）。
【００９３】
・パケット交換（ＰＳ）ベアラの一時停止なし（図６のステップ７ａ、７ｂ、及び８は図１７では用いないことに留意すべきである）。
【００９４】
・ＬＴＥネットワークにおけるパケット交換（ＰＳ）ベアラの再確立（無線端末３０のパケット交換セッションコントローラ４４による）（追加ステップ７−新として示す）。
【００９５】
・呼が終了した後にパケット交換（ＰＳ）ベアラを再開するためにルーティングエリア（ＲＡ）更新（又は組み合わせルーティングエリア（ＲＡ）／ロケーションエリア（ＬＡ）更新）を行わない。ＣＳ呼の間にＬＴＥにおいてＰＳベアラが維持されているからである。
【００９６】
任意に、ＣＳ呼が完了した後（ＬＴＥにおいて実行されたＣＳ登録による追跡エリア更新）、無線端末は回線交換（ＣＳ）サービスのために再登録することができる。
【００９７】
図１７のステップ７−新とステップ６〜１０との間のタイミングは重要でなく、従って変動する場合がある。例えば、ステップ７−新は図１７のステップ５の後のいずれの時点でも実行可能である。ステップ７−新の配置及び順序は、例えば無線端末における実施上の事項とすることができる。
【００９８】
上述のように、本明細書に開示する技術の方法は、端末中心のモード及び実施形態並びにネットワーク中心のモード及び実施形態の双方を含む。図１８は、図５に対して、ネットワーク中心のモード及び実施形態のいくつかの変形を示す。図１８に示し以下に論じる変形は、ネットワーク中心のモード及び実施形態において、Ｅ−ＵＴＲＡＮにおける発信回線交換（ＣＳ）呼要求、ＰＳハンドオーバ（ＨＯ）なしのＧＥＲＡＮにおける呼のために用いられる。同様に、図１９は、図５に対して、ネットワーク中心のモード及び実施形態のいくつかの変形を示し、端末中心モードにおいて、Ｅ−ＵＴＲＡＮにおける終了ＣＳ呼要求、ＰＳハンドオーバ（ＨＯ）なしのＧＥＲＡＮ／ＵＴＲＡＮにおける呼を示す。
【００９９】
図１８及び図１９に示すように、端末中心の実施形態及びモードでは、図５の回線変更フォールバック（ＣＳＦＢ）ソリューションに対する変更は以下の通りである。
【０１００】
・ＬＴＥアクセスにおける接続の解放（ステップ３）を変更して、ＧＥＲＡＮに移りＣＳサービスをそこで処理するようにＵＥに指示するだけである。
【０１０１】
・Ｓ１接続の要求解放なし（図５のステップ４の除去として示す）。
【０１０２】
・Ｓ１接続の解放なし（図５のステップ５の除去として示す）。
【０１０３】
・ＳＧＳＮに対するＲＡ更新（又は組み合わせＲＡ／ＬＡ更新）を行わないが、ＬＡ更新は実行する（図１８及び図１９において変更ステップ６として示す）。
【０１０４】
・ＧＳＭパケット交換（ＰＳ）ベアラの一時停止なし（ステップ７ａ、７ｂ、及び８の除去として示す）。
【０１０５】
・呼の終了後にＰＳベアラを再開するためにＲＡ更新（又は組み合わせＲＡ／ＬＡ更新）を行わない。ＣＳ呼の間にＬＴＥにおいてＰＳベアラが維持されているからである（ステップ１１の除去として示す）。
【０１０６】
図１８及び図１９の行為３ｂ、３ａ、及び３ｃに関して、「拡張」ＮＡＣＣ、「拡張」ＲＲＣ接続解放、及びＣＳＦＢコマンドは、どのように新しい機能「ＣＳアクセスに行くがＬＴＥにおけるＰＳベアラを保持する」を３ＧＰＰ仕様に導入可能であるかに関するオプションである。かかる拡張メッセージと同様の名称の通常メッセージとの相違は、パケット交換（ＰＳ）ベアラを保持しながらＧＳＭにおける呼を続けるために必要な情報を受信するための無線端末の許容量である。メッセージタイトルに「解放」という言葉を含むが、かかる拡張メッセージは主に、パケット交換（ＰＳ）セッション又はパケット交換（ＰＳ）ベアラを解放しないでＣＳ呼を他の場所で確立することを無線端末に命令するように機能する。
【０１０７】
図１８及び図１９のステップ３の変形は、既存のＲＲＣメッセージの変形として用いて、単にＧＥＲＡＮに移って回線交換（ＣＳ）サービスを処理する（が、Ｅ−ＵＴＲＡＮにおいてＰＳ接続を維持する）ように無線端末に指示するだけとすることができる。例えば、ＥＵＴＲＡコマンドからのモビリティ（セル変更指示）及びＲＲＣ接続解放をそれぞれ参照のこと（例えば３ＧＰＰ  ＴＳ３６．３３１、無線リソース制御（ＲＲＣ）、プロトコル仕様（これは引用により本願にも含まれるものとする））。また、これは、ＧＥＲＡＮに移って回線交換（ＣＳ）サービスを処理する（が、Ｅ−ＵＴＲＡＮにおけるパケット交換（ＰＳ）接続は維持する）ように無線端末に指示する機能によって新しいメッセージを生成することで実行可能である。
【０１０８】
任意に、ＣＳ呼が完了した後（ＬＴＥにおいて実行されたＣＳ登録による追跡エリア更新）、無線端末は回線交換（ＣＳ）サービスのために再登録することができる。
【０１０９】
端末中心のモード及び実施形態とは異なり、ネットワーク中心のモード及び実施形態では、ＬＴＥパケット交換ベアラは（端末中心のモード及び実施形態におけるように瞬間的にさえ）解放されない。従って、端末中心のモード及び実施形態では、パケット交換ベアラを「再確立」する必要はなく、従って図１８及び図１９は行為７−新等の行為を含まない。
【０１１０】
本明細書に開示する技術は多くの利点を与える。例えば、本明細書に開示する技術によって、ＣＳ音声中心デバイスは、ＬＴＥアクセスを介してＰＳサービスを使用し続けることができ、一方で、ＧＳＭにおける回線交換（ＣＳ）呼のために接続されている。
【０１１１】
上述の機能、イベント、ステップ、又は行為は、ネットワークノード又は他のデバイスに含まれるユニットによって実施することができ、これらは、これらの言葉が本明細書において広く定義されるように、コンピュータ実施又はプロセッサもしくはコントローラによって実行することができる。
【０１１２】
上述の記載は多くの具体的事項を含むが、これらは本発明の範囲を限定するものとして解釈されるのではなく、単に本発明の現在好適な実施形態のいくつかの例示を与えるに過ぎない。従って、本発明の範囲は、当業者に明確となり得る他の実施形態を完全に包含すること、従って本発明の範囲は過度に限定されないことは認められよう。単数の要素に対する言及は、明示的にそのように述べない限り「１つだけ」を意味することは意図しておらず、「１つ以上」を意味する。当業者に既知の上述の好適な実施形態の要素に対するあらゆる構造的、化学的、及び機能的均等物は、明白に組み込まれ、これによって包含されることが意図される。更に、デバイス又は方法は、これによって包含されるので、本発明によって解決しようとする全ての問題に対処する必要はない。
【図１Ａ】
2013514705.tif 000003
【図１Ｂ】
2013514705.tif 000004
【図２Ａ】
2013514705.tif 000005
【図２Ｂ】
2013514705.tif 000006
【図２Ｃ】
2013514705.tif 000007
【図３】
2013514705.tif 000008
【図４】
2013514705.tif 000009
【図５】
2013514705.tif 000010
【図６】
2013514705.tif 000011
【図７】
2013514705.tif 000012
【図８】
2013514705.tif 000013
【図９】
2013514705.tif 000014
【図１０Ａ】
2013514705.tif 000015
【図１０Ｂ】
2013514705.tif 000016
【図１１】
2013514705.tif 000017
【図１２】
2013514705.tif 000018
【図１３】
2013514705.tif 000019
【図１４】
2013514705.tif 000020
【図１５】
2013514705.tif 000021
【図１５Ａ】
2013514705.tif 000022
【図１５Ｂ】
2013514705.tif 000023
【図１６】
2013514705.tif 000024
【図１７】
2013514705.tif 000025
【図１８】
2013514705.tif 000026
【図１９】
2013514705.tif 000027
【国際調査報告】
2013514705.tif 000028
2013514705.tif 000029
2013514705.tif 000030